(57)【特許請求の範囲】
【請求項１】
チャンバと、チャンバ内部に封入されたレーザガスと、
そのレーザガスを励起する手段と、
励起されたレーザガスから発生する光がチャンバ外部へ出射するためにチャンバに設けられた第１ウィンドウと、を有し、
前記第１ウィンドウが光軸上に沿って配置されているガス放電チャンバにおいて、
前記第１ウィンドウは、ブリュースタ角度傾けて配置され、
前記第１ウィンドウは、入射平面及び射出平面がフッ化カルシウム結晶の（１１１）結晶面に平行であり、前記チャンバ内部から見て、前記フッ化カルシウム結晶内に入射したレーザ光が、前記第１ウィンドウの＜１１１＞軸と＜００１＞軸を含む面を通過する配置に対して、前記第１ウィンドウは、＜１１１＞軸を中心として回転して、６０°付近の角度回転させた位置に設置され、
ることを特徴とするガス放電チャンバ。
【発明の詳細な説明】
【技術分野】
【０００１】
本発明は、ガス放電チャンバに関し、特に、エキシマレーザやフッ素分子レーザ等の半導体露光装置で使用される真空紫外レーザ装置に関するものである。
【背景技術】
【０００２】
（露光用光源）
半導体集積回路の微細化、高集積化につれて、半導体露光装置においては解像力の向上が要請されている。このため、露光用光源から放出される光の短波長化が進められており、露光用光源には、従来の水銀ランプに代わってガスレーザ装置が用いられている。現在の露光用ガスレーザ装置としては、波長２４８ｎｍの深紫外光を放出するＫｒＦエキシマレーザ装置、並びに、波長１９３ｎｍの真空紫外光を放出するＡｒＦエキシマレーザ装置が用いられている。次世代の露光技術として、露光用レンズとウエハー間を液体で満たして屈折率を変えることによって、露光光源の見かけの波長を短波長化する液浸技術をＡｒＦエキシマレーザ露光に適用しようとしている。ＡｒＦエキシマレーザ液浸では、純水を液浸液にした場合１３４ｎｍの波長になる。また、次々世代の露光用光源として、波長１５７ｎｍの真空紫外光を放出するＦ2（フッ素分子）レーザ装置によるＦ2 レーザ液浸露光が採用される可能性もある。Ｆ2レーザ液浸では、１１５ｎｍの波長になると言われている。
【０００３】
（露光用光学素子と色収差）
多くの半導体露光装置の光学系には、投影光学系が採用されている。投影光学系では、異なる屈折率を有するレンズ等の光学素子が組み合わされて色収差補正が行われる。現在、露光用光源であるレーザ波長の２４８ｎｍ〜１５７ｎｍの波長（紫外線）域では、投影光学系のレンズ材料として使用に適する光学材料は、合成石英とフッ化カルシウム以外にはない。このため、ＫｒＦエキシマレーザ用の投影レンズとしては、合成石英のみで構成された全屈折タイプの単色レンズが採用され、ＡｒＦエキシマレーザ用の投影レンズとしては、合成石英とフッ化カルシウム で構成された全屈折タイプの部分色消しレンズが採用されている。ところが、ＫｒＦエキシマレーザ、ＡｒＦエキシマレーザの自然発振スペクトル線幅は約３５０〜４００ｐｍと広いために、これらの投影レンズを使用すると、色収差が発生して解像力が低下する。そこで、色収差が無視できるまでに、これらのガスレーザ装置から放出されるレーザ光のスペクトル線幅を狭帯域化する必要がある。このため、これらのガスレーザ装置には狭帯域化素子（エタロンやグレーティング等）を有する狭帯域化モジュールがレーザ共振器内に設けられ、スペクトル線幅の狭帯域化が実現されている。
【０００４】
（液浸リソグラフィーと偏光照明）
上記したように、ＡｒＦエキシマレーザ液浸リソグラフィーの場合、媒体としてＨ2 Ｏを使用したとき、屈折率が１．４４になるため、屈折率に比例するレンズ開口数ＮＡは原理的に従来の開口数に対して１．４４倍に増やすことができる。ＮＡが高くなるにつれ、光源であるレーザ光の偏光の影響が大きくなる。偏光の向きがマスクパターンの方向に平行であるＴＥ偏光の場合は影響がないが、それが直交するＴＭ偏光の場合は、像のコントラストが低くなってしまう。これは、後者の場合、ウエハー上の焦点における電界のベクトルが異なる方向であるため、ウエハーへの入射角が大きくなるに従い、電界のベクトルが同一である前者に比べ、強度が弱くなってしまうためである。この影響はＮＡが１．０に近づくか超える場合に強くなり、ＡｒＦエキシマレーザ液浸はこの場合に該当する。そのため、以上のように露光装置の照明系では、所望の偏光状態を制御する必要がある。この偏光照明の制御には、露光装置の照明系に入力されるレーザの偏光状態が所望軸方向の２直線偏光であることが要求されている。
【０００５】
非特許文献１には、露光装置のレーザ偏光に関する記載がある。
【０００６】
一般に、偏光光の偏光状態（すなわち直線偏光、楕円偏光及び円偏光）は、互いに垂直な偏光成分の和で記述される。一方、非偏光は、互いに垂直な偏光成分の光強度は均等となる。
【０００７】
ここで、本明細書において、露光装置が要求するレーザ光の偏光状態を示すパラメータを以下に新しく定義する。全体のレーザ光に対して所望軸方向の偏光成分の割合を直線偏光度（ＬＰ）と定義する。
【０００８】
直線偏光度は、所望軸方向で計測される直線偏光成分の光強度とレーザ光全体のエネルギーの割合であり、レーザの偏光は、直線偏光度が高く維持されることが要求されている。  
【０００９】
レーザの直線偏光度ＬＰは以下に示すような方法で計測される。図２８に示されるように、偏光子（ローションプリズム）を光軸中心に回転させて、透過光強度の最大値Ｉmax及び最小値Ｉminを測定したときに、直線偏光度は、以下の式で示される。
ＬＰ＝（Ｉmax−Ｉmin）／（Ｉmax＋Ｉmin）            ・・・（１）
【００１０】
ここで、Imaxをローションプリズムの設置角度γ＝０°を所定軸方向成分とすると、Ｉminのローションプリズムの設置角度はγ＋９０°となる。
【００１１】
これ以降の記述では、偏光状態とは、直線偏光または円偏光または楕円偏光を表し、直線偏光度は（１）式で表現されるパラメータとする。
【００１２】
（直線偏光度を高めるための従来技術）
レーザ光の直線偏光度を高めるための技術として、これまでに特許文献１と特許文献２に記載の技術がある。
【００１３】
特許文献１に記載のものは、レーザに使用する光学素子のフッ化カルシウム結晶の（１００）面に対して垂直にレーザ光の光軸が透過するようにして、光学素子内部を光が通過するときに受ける真性複屈折による直線偏光度の悪化を防ぐ方法である。
【００１４】
しかしながら、上記の従来技術には、次に述べるような問題がある。
【００１５】
レーザ光の直線偏光度はレーザ装置内の光学素子をレーザ光が通過するときに、光学素子の複屈折によって悪化する。複屈折には、外部からの機械応力や熱応力による応力複屈折と、それらの応力が無い状態でも、その結晶構造によって発現する本来的に存在する真性複屈折がある。
【００１６】
特許文献１に記載のものでは、光学素子の（１００）面に垂直にレーザ光が通過するように配置することによって、真性複屈折による直線偏光度の悪化を防いでいるが、応力を与えたときに発生する応力複屈折は、（１００）面に垂直な＜１００＞方向が最も大きく、チャンバウィンドウとして使用する場合、ウィンドウのホールド時の応力やチャンバ内の数気圧のガスによる圧力、また、レーザ照射による発熱応力等によって応力複屈折が発生する可能性がある問題があった。
【００１７】
すなわち、従来のレーザのガス放電チャンバ用に搭載しているフッ化カルシウム結晶のウィンドウは真性複屈折の問題を主に解決する方法が提案されていが、フッ化カルシウムウィンドウ結晶の機械及び熱応力による複屈折の問題が発生していた。
【００１８】
また、カット面は（１１１）面と１７．５８°または２６．７６°をなす角度でカットして、このカット面をチャンバウィンドウの両面としているため以下の２つの課題が発生していた。一つは、このカット面を表面荒さが小さな高精度研磨ができないため、レーザ照射による表面損傷の閾値が低くなっていた。二つ目は、チャンバウィンドウとして使用する場合、約４０００ｈＰａのガス圧力がかかるため、例えば、壁界しやすい（１１１）面で、破損する可能性があった。さらに、カット面を（１１１）面と１７．５８°でカットした場合には、チャンバウィンドウと光軸とのなす角度は、７０°となり、Ｐ偏光とＳ偏光のフレネル反射がそれぞれ４．２％と３０．０％なり、このウィンドウを透過することにより、Ｐ偏光成分は選択されるが、Ｐ偏光のフレネル反射が大きいため、レーザの出力を確保することができないという問題があった。
【００１９】
ここで、レーザの場合は、レーザ共振器内で、レーザ光が２枚のウィンドウが設置されたガス放電チャンバを何回も往復するため、Ｐ偏光のフレネル反射が４．５％でもレーザの出力が低下する課題があった。
【００２０】
そこで、特許文献２のように、２つの平面を備えて紫外線がその１つの平面２から入射し、他の平面から射出するフッ化カルシウム結晶からなるウィンドウ等の紫外線ガスレーザ用光学素子において、少なくとも一方の平面がフッ化カルシウム結晶の（１１０）結晶面に平行である紫外線ガスレーザ用光学素子により、真性複屈折及び応力複屈折による直線偏光度の悪化を防止すると共に、カット面を平滑にしてレーザ照射により割れや欠陥の発生を防止する技術が開示されている。
【先行技術文献】
【特許文献】
【００２１】
【特許文献１】米国特許出願公開第２００３／２１９０５６号明細書
【特許文献２】特開２００６−７３９２１号公報
【非特許文献】
【００２２】
【非特許文献１】Denis G. Flagello, Steve Hansen, Bernd Geh, Michael Totzeck,"Challenges with Hyper-NA(NA>1.0)Polarized Light Lithography for Sub λ/4 resolution"Proceedings of SPIE Vol.5754(2005)p.53-68
【発明の概要】
【発明が解決しようとする課題】
【００２３】
しかしながら、特許文献２に示す技術では、真性複屈折及び応力複屈折による直線偏光度の悪化を防止すると共に、フッ化カルシウム結晶のカット面を（１１０）面にすることにより、ウィンドウに対して垂直方向にかかるチャンバガス圧力やウィンドウをホールドするための機械応力によって、使用時に、へき開する可能性があった。すなわち、結晶内部でへき開面である（１１１）面に沿ってスリップしたり、これにより、ウィンドウが割れたりしてしまう可能性があった。
【００２４】
本発明は従来技術のこのような問題点に鑑みてなされたものであり、その目的は、機械応力（ウインドウホルダやガス圧力）と光の吸収による熱応力等により破損する現象を低減し、出力レーザ光の直線偏光度を高くすると共に、強い紫外線（特にＡｒＦ）レーザ光照射による直線偏光度の低化を抑制するフッ化カルシウム結晶を用いたガス放電チャンバを提供することである。
【課題を解決するための手段】
【００２５】
そのために、ガス放電チャンバは、チャンバと、チャンバ内部に封入されたレーザガスと、そのレーザガスを励起する手段と、励起されたレーザガスから発生する光がチャンバ外部へ出射するためにチャンバに設けられた第１ウィンドウと、を有し、前記第１ウィンドウが光軸上に沿って配置されているガス放電チャンバにおいて、前記第１ウィンドウは、ブリュースタ角度傾けて配置され、前記第１ウィンドウは、入射平面及び射出平面がフッ化カルシウム結晶の（１１１）結晶面に平行であり、前記チャンバ内部から見て、前記フッ化カルシウム結晶内に入射したレーザ光が、前記第１ウィンドウの＜１１１＞軸と＜００１＞軸を含む面を通過する配置に対して、前記第１ウィンドウは、＜１１１＞軸を中心として回転して、６０°付近の角度回転させた位置に設置されることを特徴とするガス放電チャンバ。
【発明の効果】
【００３０】
すなわち、ガス放電チャンバに設置した前記第１ウィンドウ及び第２ウィンドウは、複屈折性を有した結晶であって、前記第１のウィンドウに入射するレーザ光の第１の偏光状態から前記第１のウィンドウを透過して第２の偏光状態で前記励起されたレーザガス中を通過し、前記第２の偏光状態のレーザ光が前記第２のウィンドウを透過して、前記第１の偏光状態に略戻るように前記第１のウィンドウ及び第２のウィンドウの結晶をレーザ光軸に対して配置する。これにより、ガス放電チャンバ内をレーザ光が透過または往復しても直線偏光度の低下を抑制できる。
【００３１】
そして、前記第１の偏光状態と第２の偏光状態が略一致するように前記第１のウィンドウ及び第２のウィンドウの結晶をレーザ光軸に対して配置することにより、ガス放電チャンバ内をレーザ光が透過または往復しても直線偏光度の低下を抑制できる。
【００３２】
さらに、前記チャンバの前記第１ウィンドウ及び前記第２ウィンドウは略同じ方向に傾けて設置され、前記第１の偏光状態は第１ウィンドウ及び第２ウィンドウのＰ偏光に対して、直線偏光とすることによって、第１ウィンドウ及び第２ウィンドウの表面におけるＰ偏光のフレネル反射を低減できるのでレーザの共振器ロスを低減し、増幅効率が高くなる。
【００３３】
また、本発明のガスレーザ用光学素子は、結晶表面を（１１１）面とすることにより、表面粗さが小さな高精度研磨が可能となり、潜傷によるレーザ照射による光の吸収を防ぎ表面損傷を防止することが可能となる。
【００３４】
また、チャンバ内部から見て、フッ化カルシウム結晶内に入射したレーザ光が、第１ウィンドウ及び第２ウィンドウそれぞれの＜１１１＞軸と＜００１＞軸を含む面を通過する配置に対して、第１ウィンドウ及び第２ウィンドウは、＜１１１＞軸を中心として同方向へ同じ角度回転した位置に設置されるので、ウィンドウでの応力複屈折の影響を２枚組み合わせることによって、キャンセルすることができる。
【００３５】
さらに、チャンバ電極等の劣化による出力低下分を補償するためのチャンバ内のレーザガス圧力増加に対して、レーザ直線偏光度の低下を防止することができる。また、２枚のウィンドウの劣化具合が同じである場合は、キャンセル効果によって、素子の劣化による直線偏光度の低下を防止することができる。
【図面の簡単な説明】
【００３６】
【図１】フッ化カルシウム の結晶格子を示す図である。
【図２】フッ化カルシウム結晶の軸＜００１＞、＜１００＞に対する光の進行方向Ｌ    の角度θとφの定義を示す図である。
【図３】本発明によるフッ化カルシウム を用いたウィンドウを示す図である。
【図４】図３のウィンドウをチャンバ内部から見た図である。
【図５】回転前の第２ウィンドウを示す断面図である。
【図６】回転後の第２ウィンドウを示す上面図である。
【図７】結晶の偏光状態を示す図である。
【図８】位相差を示す図である。
【図９】偏光状態観測実験系を示す図である。
【図１０】計測用ウィンドウを示す図である。
【図１１】入射レーザ光の偏光度を０．９９９の場合の回転角度に対する直線偏光度    の計測結果を示すグラフである。
【図１２】入射レーザ光の直線偏光度を０．９７１の場合の回転角度に対する直線偏    光度の計測結果を示すグラフである。
【図１３】入射光のパルスエネルギーを変化させた時の回転角度に対する直線偏光度    の計測結果を示すグラフである。
【図１４】レーザ光が２枚のウィンドウを通過する断面図である。
【図１５】ウィンドウを図１４の矢印から見た図である。
【図１６】ウィンドウの回転角度と位相変化を示すグラフである。
【図１７】実験用チャンバを用いた偏光状態観測実験系を示す図である。
【図１８】実験用ウィンドウを図１７の矢印から見た図である。
【図１９】ガス加圧量に対する直線偏光度の計測結果を示すグラフである。
【図２０】２ステージレーザシステムを示す図である。
【図２１】リング共振器を増幅段レーザに適用した場合を示す図である。
【図２２】参考例としてのチャンバを示す図である。
【図２３】図２２のウィンドウをチャンバ内部から見た図である。
【図２４】２枚のチャンバウィンドウを平行に傾けて取り付けた場合を示す図である。
【図２５】２枚のチャンバウィンドウを平行に傾けて取り付けた場合を示す図である。
【図２６】２枚のチャンバウィンドウの傾きの方向が逆である場合を示す図である。
【図２７】２枚のチャンバウィンドウの傾きの方向が逆である場合を示す図である。
【図２８】透過光強度の測定を示す図である。
【発明を実施するための形態】
【００３７】
以下、本発明に係る実施形態の紫外線ガスレーザ用光学素子及び紫外線ガス放電チャンバについて説明する。
【００３８】
図１は、フッ化カルシウムの結晶格子を示す。本実施形態では、フッ化カルシウムの結晶は、結晶方位に合わせて（１１１）面でカットされる。フッ化カルシウム結晶は、図１に示すような、面心立方格子で構成されている。
【００３９】
図２に示すように、フッ化カルシウム結晶の軸＜００１＞、＜１００＞に対する光の進行方向Ｌの角度θとφを定義すると、図２のφ＝４５°、θ=５４．７４°の方向が＜１１１＞軸方向となる。（１１１）面の表面は他の結晶軸表面よりも、一番硬いため、表面粗さが小さく、潜傷が少ない研磨が可能となる。
【００４０】
図３及び図４は、本実施形態によるフッ化カルシウムのウィンドウを用いたチャンバ１を示す。図３は、チャンバ１を示す図、図４（ａ）は、第１ウィンドウ２をチャンバ内部の矢印Ａから見た図、図４（ｂ）は、第２ウィンドウ３をチャンバ内部の矢印Ｂから見た図である。
【００４１】
チャンバ１には、前記のように、光軸Ｌ上に２つの第１ウィンドウ２及び第２ウィンドウ３が取り付けてある。図示しない発振段レーザから発振されたレーザ光は、チャンバ１に入射するように構成されている。レーザ光は、第１部分反射ミラー４及び第２部分反射ミラー５により第１及び第２ウィンドウ２，３を多数往復する。
【００４２】
すなわち、発振段レーザから発振されたレーザ光は部分反射ミラー４の裏面からシード光として注入される。チャンバ１の第１ウィンドウ１及び第２ウィンドウ２は略同じ方向にブリュースタ角度に傾けて設置されている。シードレーザ光は、これら第１及び第２ウィンドウのＰ偏光の方向に直線偏光で入射する。そして、このシード光は、チャンバ１に設置されている第１のウィンドウ２を透過する。さらに、チャンバ１内部で放電励起されたレーザ媒体を通過することによってシード光が増幅され、第２のウィンドウ３を透過し、部分反射ミラー５に入射する。ここで、部分反射ミラーにより一部は透過し出力レーザ光として外部に出力され、一部は反射されて、再び第２のウィンドウ３を透過する。そして、チャンバ１内部で図示しない放電電極により放電励起されたレーザ媒体を再び通過することによってさらにレーザ光が増幅され、第１のウィンドウ２を透過して、部分反射ミラー４に入射する。そして、この部分反射ミラー４を反射したレーザ光が再び、第２のウィンドウに入射することを繰り返すことによって、部分反射ミラー４と部分反射ミラー５の間で複数回往復して増幅発振する。その結果、増幅段の光特性（スペクトル線幅等）が維持された状態で、増幅光が部分反射ミラー５から出力される。このように、第１及び第２ウィンドウに対してＰ偏光の直線偏光をシード光として注入することにより、第１及び第２ウィンドウでのＰ偏光のフレネル反射が小さいので、効率よくシード光を増幅することができる。第１及び第２ウィンドウの設置角度はブリュースタ角度で設置することが望ましいが、Ｐ偏光の反射率が小さな４５度から６２度の範囲であれば大きな問題は発生しない。
【００４３】
本実施形態では、図３に示すように、レーザ光軸Ｌに対して傾けて設置されるウィンドウとして、フッ化カルシウム結晶を両面とも（１１１）面でカットした第１ウィンドウ２及び第２ウィンドウ３を用いる。そして、本実施形態では、図４（ａ）及び図４（ｂ）に示すように、チャンバ１の内部から見て（図３の矢印Ａ，Ｂ参照）、第１ウィンドウ２及び第２ウィンドウ３それぞれを、結晶内に入射したレーザ光が＜１１１＞軸と＜００１＞軸を含む面を通過する配置から、＜１１１＞軸を中心軸として２枚とも略同じ角度θ°回転した位置に設置する。ここで、角度θ°は反時計回りの方向を正とし、反時計周りの方向を負とする。
【００４４】
レーザ光を１パスで見た場合は、１パスの光軸Ｌに対して、結晶方位の角度が（−θ、＋θ）となるため、位相差の変化をキャンセルすることができると推定される。
【００４５】
すなわち、第１ウィンドウに入射する偏光状態が第１のウィンドウを透過することによって第２の偏光状態に変化する。そして、第２の偏光状態のレーザ光が第２ウィンドウを透過することによって、第１の偏光状態に略戻るように前記第１及び第２のウィンドウのフッ化カルシウム結晶の方位をレーザの光軸に対して配置している。これにより、第１ウィンドウ及び第２ウィンドウ透過することによってレーザの偏光状態がほとんど変化することがなく、部分反射ミラー４及び部分反射ミラー５のミラー間を複数回往復しても、部分反射ミラー５から出力される増幅レーザ光の偏光状態は、発振段からのシード光の偏光状態が維持される。
【００４６】
なお、角度を決定する時は、事前にＸ線回折分析を行い、結晶方位＜００１＞軸、＜０１０＞軸、＜１００＞軸を計測しておくと良い。ウィンドウの＜００１＞軸、＜０１０＞軸、＜１００＞軸方向の側面に印を付けておき、その印に従って、角度θ°回転させて取り付けるようにすると効率が良い。
【００４７】
次に、光軸Ｌがウィンドウを通過する状態について説明する。なお、ここでは、第２ウィンドウ３について説明するが、第１ウィンドウ２については第２ウィンドウ３と同様に構成されるので、説明は省略する。
【００４８】
図５は、本実施形態によるフッ化カルシウムを用いた回転前の第２ウィンドウ３を示す断面図、図６は、回転後の第２ウィンドウ３を示す上面図である。
【００４９】
図５は、フッ化カルシウム結晶を＜００１＞軸、＜１１０＞軸及び＜１１１＞軸を含む断面で見た図である。フッ化カルシウム結晶からなる第２ウィンドウ３は、（１１１）面に対して、平行な面の第１表面３ａ及び第２表面３ｂで研磨されている。例えば、本実施形態では、＜００１＞軸、＜１１０＞軸及び＜１１１＞軸を含む面内で、入射角度α＝５５．７°でフッ化カルシウム結晶基板に対してレーザビームが第２ウィンドウ２３の中央に入射する。すると、第１表面３ａにおいて、光がスネルの法則にしたがって、屈折角度β＝３３．４°で屈折する。この時、フッ化カルシウム内部の屈折光軸Ｌがフッ化カルシウム結晶の＜００１＞軸、＜１１０＞軸及び＜１１１＞軸を含む面内で、且つ、＜１１１＞軸と＜００１＞軸のなす角度の間（０°＜γ＜５４．７°）を透過するように、フッ化カルシウム結晶を配置する。そして、フッ化カルシウム結晶内を透過して、第２表面３ｂで再び、第１表面３ａと同様にスネルの法則にしたがって、レーザ光は、＜００１＞軸、＜１１０＞軸及び＜１１１＞軸を含む面内で、出射角α＝５５．７°で第２ウィンドウ３から出射する。
【００５０】
この実施例では、ウィンドウへの入射または出射角度をα＝５５．７°の例を示したが、この実施例に限定されることなく、ウィンドウのＰ偏光に対するフレネル反射によりレーザの出力が低下しない範囲例えば、α＝４５°から６２度程度の範囲であってもよい。
【００５１】
本実施形態では、この状態から第２ウィンドウ３を、＜１１１＞軸を中心軸として角度θ回転した位置に設置する。
【００５２】
図６はフッ化カルシウム結晶を＜１１１＞軸の真上から見た図であり、フッ化カルシウム結晶の各面方位軸を放射状に示している。フッ化カルシウム結晶は、図１に示したような面心立方格子であるため、結晶方位の軸は＜１１１＞軸を対称軸とすると３回対称となる。したがって、フッ化カルシウム結晶ウィンドウの＜１１１＞軸の真上から見て、＜００１＞軸を基準軸とし、時計回りの角度を負とし、反時計回りの角度を正とすると、＜００１＞軸と＜０１１＞軸とのなす角度−６０度、＜００１＞軸と＜０１０＞軸となす角度は−１２０度、＜００１＞軸と＜１１０＞軸とのなす角度は１８０度、＜００１＞軸と＜１０１＞軸とのなす角度は６０度、＜００１＞軸と＜１００＞軸とのなす角度は１２０度となる。なお、＜００１＞軸と＜１１０＞軸とのなす角度は−１８０度（＝１８０度）とも表記できる。
【００５３】
図６に示すように、第２ウィンドウ３は、結晶内に入射したレーザ光が＜１１１＞軸と＜００１＞軸を含む面を通過する配置に対して、＜１１１＞軸を中心軸として角度θ°回転した位置に設置される。
【００５４】
次に、複屈折による偏光の変化を説明する。一般に、結晶内を伝播する光は、互いに直交する２つの直線偏光の波の線形結合であり、それぞれの位相速度と振幅の大きさで、偏光状態と偏光方向が決まる。結晶内に熱応力や機械応力等による複屈折が発生すると、結晶中を伝播する光ビームの位相速度がその偏光方向に依存してずれていく。これにより、結晶中を伝播する光は、結晶中の互いに直交する進相軸と遅相軸方向の２方向に分けた時、２方向の伝播する光の速度（複屈折であるため）が異なることによって、それぞれの位相が変化する。
【００５５】
この現象のため、図７に示すように、例えば、直線偏光を入射した場合、楕円偏光（２つ成分の位相差が９０°ずれた場合は円偏光）となって、偏光状態が変化して出射する。
【００５６】
図７に示す偏光状態の変化に関して、以下に詳しく説明する。結晶の光学軸が図に示すように、結晶の両側面に対して垂直方向に配置されている。ここで、光学軸は水平面であって、進相軸となっている場合を考える。そして、位相差δ＝０°の直線偏光が結晶の光学軸（進相軸）に対して４５度の偏光方向で入射したと過程する。この直線偏光の光が結晶を透過することによって、直線偏光の進相軸成分（Ｅｙ）と遅相軸成分（Ｅｘ）の位相がδだけずれる。その結果、結晶を透過した直線偏光は楕円偏光に変換される。ここで、δ＝９０°の場合は円偏光に変換される。
【００５７】
複屈折による位相差の大きさは、光が伝播する結晶方位によって異なる。光学軸となる結晶方位に伝播した場合は、複屈折性が無いため、位相差は０である。フッ化カルシウム結晶の真性複屈折のみを考えた場合では、光学軸は、＜１１１＞軸と＜００１＞軸、＜１００＞軸又は＜０１０＞軸とこれに等価な軸となる。
【００５８】
図８に、直線偏光が結晶の複屈折によって位相差が発生する状態を模式的に示す。すなわち、直線偏光の光を進相軸成分（Ｅｙ）と遅相軸成分（Ｅｘ）２つの成分に分解して、光の進行方向をｚ軸として、進相軸成分（Ｅｙ）と遅相軸成分（Ｅｘ）複屈折によって位相差δが発生した場合の光の状態を示す。また、図８に示すように、入射する光の偏光方向が、結晶の進相軸または遅相軸と平行もしくは、垂直であれば、２成分に分かれないため、位相差は発生しない。
【００５９】
次に、チャンバ１で使用する光入射角に計測用ウィンドウ１０２を設置して、＜１１１＞軸を中心軸として回転させ、光の伝播方向の結晶方位を変化させて、その偏光状態の変化を観測した結果を示す。
【００６０】
図９は、偏光状態観測実験系を示す図である。使用したレーザ光は直線偏光の狭帯域ＡｒＦレーザ１０１（4kHz,10mJ）を用い、チャンバウィンドウで使用する場合を模擬できるように、計測用ウィンドウ１０２は、入射角α＝５５．７°で設置し、入射するレーザの偏光方向も、実際の装置と合わせて、図９に示すように紙面と平行方向で入射させた。計測用ウィンドウ１０２を通過したレーザ光は、直線偏光度計測器１０３に入れて、その直線偏光度を計測した。直線偏光度計測器１０３では、光路を折り返すことによって、反射するレーザ光の各偏光成分の光強度が変化しない様に、２枚の折り返しウィンドウ１０４ａ，１０４ｂを使用している。
【００６１】
ここで、２枚の折返しウィンドウ１０４ａ，１０４ｂの作用に関して詳しく説明する。計測用ウィンドウ１０２を透過したレーザ光は、入射角４５度の角度で折返しウィンドウ１０４ａに入射し、表面反射で４５度の角度で紙面に対して垂直な平面内で反射させる。そして、入射角４５度の角度で折返しウィンドウ１０４ｂに入射し、表面反射で４５度の角度で紙面に対して垂直な平面内で反射させる。これら２枚の折り返しウィンドウ１０４ａ，１０４ｂを各々１回表面反射した光は、ウィンドウ１０４ｂの表面反射した光のＰ偏光成分とＳ偏成分の反射率が異なる。そこで、ウィンドウ１０４ｂの表面反射によって、このＰ偏光がＳ偏光として反射し、Ｓ偏光がＰ偏光として反射するため反射率がキャンセルされる。その結果、ウィンドウ１０４ｂを反射した光は光計測用ウィンドウ１０２を透過した光Ｌの各偏光成分の光強度を一致させることができる。
【００６２】
ローションプリズム（偏光子）１０５を通過し、センサ１０６で出力を計測する。そして、ローションプリズム１０５を回転させて出力を計測し、前述した式（１）で、直線偏光度を計測した。図１０に示すように、計測用ウィンドウ１０２は、（１１１）面カットのものを使用し、＜１１１＞軸を回転中心として、１０°間隔で回転させながら、０°〜約１８０°の範囲にわたって、その直線偏光度の変化を計測した。
【００６３】
図１１は、入射レーザ光の直線偏光度を０．９９９の場合の回転角度に対する直線偏光度の計測結果を示すグラフである。θ＝０°は、光軸Ｌが＜００１＞軸方向であることを示す。回転角度θのプラス方向は、計測用ウィンドウ１０２を反時計方向に回転させた時を示す。
【００６４】
図１１に示すように、θ＝３０°，９０°，１５０°と略６０°間隔で、直線偏光度が低下しているのが分かった。逆に、θ＝０°，６０°，１２０°の方位では、直線偏光度がほとんど変化していないことが分かった。これにより、＜００１＞軸, ＜１０１＞軸の方向に光が伝播した場合は、その位相差は変化せず、その中間の角度で、位相差が変化していることが分かった。特に、＜００１＞軸方向から、３０°ずれた角度が、位相差変化の変極点となっていることが分かった。
【００６５】
図１２は、入射レーザ光の直線偏光度を０．９７１の場合の回転角度に対する直線偏光度の計測結果を示すグラフである。この結果も、同じ様に、θ＝０°，６０°，１２０°付近で、透過後のレーザ直線偏光度は入射光と同じで変わらないが、θ＝３０°，９０°，１５０°付近で直線偏光度の変化が最大になっている。
【００６６】
さらに詳しく説明すると、計測用ウィンドウ１０２を透過したレーザ光の直線偏光度はθ＝０°，６０°，１２０°付近では、入射レーザ光の直線偏光度と略同じとっているが、θ＝３０°，１５０°付近では極大となり、θ＝６０°付近で極小となった。また、回転角度θ＝０°及び１２０°の場合と６０°の場合を比較すると、６０°の場合は直線偏光度が極大点となり、入射した直線偏光度と同じ直線偏光度を維持している。このため、回転角度θ＝０°及び１２０°の場合に比べて、回転角度の設置精度が回転角度θ＝６０°のほうが悪くても直線偏光度を維持できるメリットがある。フッ化カルシウム結晶は３回対称の結晶構造であるため、θ＝１２０°及び−１２０°でも同様な結果になると推定される。
【００６７】
このような回転角度と直線偏光度関係が図１２のグラフのようになった推定原因を以下に述べる。つまり、回転角度０°（＜００１＞軸）, ６０°（＜１０１＞軸）の方向に光が伝播した場合は、その位相差はほとんど変化せず、その中間の角度で、位相差が変化していると推定している。特に、＜００１＞軸方向から、３０°、９０°ずれた角度が、位相差変化の変極点（それぞれ、極大点と極小点）となっている。位相変化により直線偏光度が良くなるのは、結晶を通過することによって、もともとずれていた位相差が小さくなる方向へシフトしたためであると推定している。
【００６８】
ここで、図１１と図１２の共通の点は、回転角度θ＝０°、６０°及び１２０°では、計測用ウィンドウ１０２を透過しても、レーザ光の直線偏光度がほとんど変化していないことである。
【００６９】
図１３は、入射光の直線偏光度が約０．９９５、繰り返し周波数４ｋＨｚの条件で、パルスエネルギーを変化させた時の回転角度に対する直線偏光度の計測結果を示すグラフである。入射光のエネルギーが大きくなるにつれて回転角度θ＝−３０°，３０°，９０°付近の極小値が小さくなることが判明した。
【００７０】
この計測結果の推定原因を以下に述べる。入射するレーザ光のパルスエネルギーを変化させた時、位相差の大きさが変化していると推定される。つまり、ウィンドウのレーザ光の吸収により熱が発生し、その結果、熱応力による応力複屈折の大きさが変化していると推定される。このため、この特性は、応力複屈折に対する特性であり、＜００１＞軸や＜１０１＞軸方向（回転角度θ＝０°や６０°の軸）では複屈折性がほとんどなく、その中間の３０°で、位相差が最大になることが分かった。
【００７１】
以下に、図１５、図１６及び図１７を使用して、第１のウィンドウ及び第２のウィンドウを透過させることによって、直線偏光度を変化させない推定原理に関して説明する。
【００７２】
図１４及び図１５は、レーザ光が２枚のウィンドウを通過する図であり、図１６は、ウィンドウの回転角度と位相変化を模式的に示すグラフである。図１４はレーザ光が２枚のウィンドウを通過する断面図、図１５（ａ）は第１ウィンドウを図１４の矢印Ｃから見た図、図１５（ｂ）は第１ウィンドウを図１４の矢印Ｄから見た図である。
【００７３】
図１４及び図１５に示すように、１枚のウィンドウで、結晶方位を＋θの位置にすると、光の位相差ｄを+δ変えることができる。逆に、結晶方位を−θの位置にすると、光の位相差ｄを−δ変えることができる。そのため、+θと−θの角度に合わせた２枚のウィンドウを組み合わせることによって、図１６に示すように、どんな偏光状態の光を入れても、２枚のウィンドウを通過することによって元の偏光状態に戻る。その結果、直線偏光度の変化（低下）を低減することが可能となる。
【００７４】
また、１枚のウィンドウの熱応力による偏光状態の変化を２枚目のウィンドウで元に戻す（位相差変化のキャンセル）ことができる。つまりウィンドウでの応力複屈折の影響を２枚組み合わせることによって、キャンセルすることができる。位相差の振幅（変化）δは、フッ化カルシウム結晶のメーカやグレードによって異なる。２枚を組み合わせ、キャンセル効果を効率良く得るには、その位相差の振幅（変化）が同じである同メーカ同グレードのものを組み合わせると良い。
【００７５】
次に、実験用チャンバ２２１を設置して、＜１１１＞軸を中心軸として実験用第１及び第２ウィンドウ２２２，２２３を回転させ、光の伝播方向の結晶方位とチャンバのガス加圧量を変化させて、その直線偏光度の変化を観測した結果を示す。
【００７６】
図１７及び図１８は、実験用チャンバ２２１を用いた直線偏光度観測実験系を示す図である。図１７に示す様に、実験用第１及び第２ウィンドウ２２２，２２３を有し、内部にガス圧力を印加できる実験用チャンバ２２１を製作し、ここにレーザ光を透過させ、直線偏光度計測器２２４で、その影響を計測した。
【００７７】
図１８（ａ）は実験用チャンバ２２１を図１７の矢印Ｃから見た実験用第１ウィンドウ２２２、図１８（ｂ）は実験用チャンバ２０１を図１７の矢印Ｄから見た実験用第２ウィンドウ２２３である。この実験では、＜１１１＞軸を中心軸として実験用第１ウィンドウ２２２を＋９０°、実験用第２ウィンドウ２２３を−９０°回転させる第１の配置と、＜１１１＞軸を中心軸として実験用第１及ウィンドウ２２２を＋９０°、実験用第２ウィンドウ２２３を＋９０°回転させる第２の配置とで直線偏光度を比較した。ここで、角度は反時計回りが正の符号で、時計回りが負の符号を示している。
【００７８】
図１９は、ガス加圧量に対する直線偏光度の計測結果を示すグラフである。同じ方向に結晶方位を配置した第２の配置（＋９０°、＋９０°）の場合は、その影響を２倍受け、直線偏光度がガス圧力増加による機械応力の増加に伴い低下していくのが分かる。しかし、実験用第１及び第２ウィンドウ２２２，２２３を第１の配置（＋９０°、−９０°）にすると、直線偏光度は、ガス圧力による機械応力を増加させても変化（低下）しなかった。この特性は、（＋３０°、−３０°）、（＋０°、−０°）に配置しても同じであり、（＋３０°、−３０°）、（＋０°、−０°）の配置の場合も直線偏光度は、変化しなかった。したがって、実験用第１及び第２ウィンドウ２２２，２２３を第１の配置のようなキャンセル配置にすることで、ガス圧力による機械応力が加わっても、直線偏光度の低下を低減することができる。
【００７９】
また、この配置は、次の理由でも、有効である。
【００８０】
（１）レーザ装置として使用時、チャンバ電極等の劣化により、出力が低下する。この出力低下分を補償するため、チャンバ内のレーザガスの圧力を増加させている。よって、本発明の結晶方位の関係でない場合は、このガス圧力増加による応力複屈折の増加による影響を受けて、レーザの直線偏光度が低下することが予測される。しかし、本発明の配置をすることによって、このガス圧増加によるレーザ直線偏光度の低下を防止することができる。
【００８１】
（２）レーザ使用時、ウィンドウ自身も光照射により劣化する。主に、吸収の増加により、熱応力が増加していくものと推測される。この場合、チャンバウィンドウとして使用される２枚のウィンドウの劣化具合が同じであれば、本発明のキャンセル効果によって、素子の劣化による直線偏光度の低下を防止することができる。
【００８２】
以上、本実施形態のガスレーザ用光学装置について説明した。その例を説明するために、図２０に、２ステージレーザシステムの主として光学系の概略の構成と、その中での本発明による紫外線ガスレーザ用光学装置の配置例を示す。
【００８３】
２ステージレーザシステムは、発振段レーザ１０とその発振段レーザ１０から発振されたレーザ光（シード光）を入射させて増幅する増幅段レーザ２０とからなるもので、特に狭帯域で４０Ｗ以上の高出力が必要な露光用のＡｒＦエキシマレーザ装置やＦ2レーザ装置に期待されているものである。
【００８４】
発振段レーザ１０にはレーザガスが封入されるチャンバ１１と、共振器を構成する狭帯域化モジュール１４及び出力鏡としての部分反射ミラー１５とが含まれ、さらに、図示していないレーザガス励起システムや制御系、さらには、冷却系、ガス交換システム等が含まれる。
【００８５】
チャンバ１１には、前記のように、光軸Ｌ上に２つのウィンドウ１２と１３が取り付けてある。また、狭帯域化モジュール１４には、ビーム拡大光学系を構成する単数あるいは複数のビーム拡大プリズム１６（図では２個）と、狭帯域化素子としてのグレーティング１７（又はエタロン）が含まれる。図示されているグレーティング１７はリトロー配置されており、入射角度と回折角度が同じとなるように配置されている。このリトロー配置では、狭帯域化素子すると同時に、発振段レーザ１０のリアミラーの役目も果たしている。狭帯域化素子としてエタロンが使用された場合は、リアミラーをエタロンの後ろに配置する必要がある。
【００８６】
増幅段レーザ２０も、レーザガスが封入されるチャンバ２１と、共振器を構成する部分反射ミラー２４、２５とが含まれ、さらに、図示していないレーザガス励起システムや制御系、さらには、冷却系、ガス交換システム等が含まれる。
【００８７】
チャンバ２１には、光軸Ｌ上に２つのウィンドウ２２と２３が取り付けてある。なお、図２０においては、発振段レーザ１０から発振されたレーザ光は、ミラー１８と１９でそれぞれ反射されて増幅段レーザ２０に入射するように構成されている。レーザウィンドウは発振段及び増幅段レーザの共振器内に配置されているので、レーザ光が多数（複数回）往復する。
【００８８】
以下に発振段レーザから出力されたレーザ光のモニタ、レーザ光の増幅、及び光学パルスストレッチ機構に関して詳しく説明する。
【００８９】
この発振段レーザ１０から出力されたレーザ光はまずミラー１８により高反射される。そして、発振段レーザパワーモニタ３０に入射する。この発振段レーザパワーモニタ３０には、第１ビームスプリッタ３１と光センサ３２により構成されている。
【００９０】
発振段レーザ光はビームスプリッタ３１により、一部反射され、光センサ３２に入射する。ここで、発振段レーザ１０の出力をモニタしている。第１ビームスプリッタ３１を透過したレーザ光はミラー１０により高反射されて、シード光として、部分反射ミラー２４の裏面から注入される。そして、増幅段レーザの共振器である部分反射ミラー２４と部分反射ミラー２５の中に注入される。
【００９１】
シード光が注入されると同期して、図示しないチャンバ２１内に設置されている放電電極による放電によりレーザガスが励起される。この励起ガス中をシード光が通過することにより増幅される。ここで、シード光の第１の偏光状態は第１ウィンドウ２２を透過することにより、第２偏光状態に変換され、励起領域を通過することにより増幅される。そして、第２ウィンドウ２３を透過することにより、再び第１の偏光状態に戻る。
【００９２】
部分反射ミラー２５に到達して、一部のレーザ光の透過光は、レーザ光として出力され、一部の光は反射してフィードバック光として部分反射ミラー２４と部分反射ミラー２５からなる共振器中に戻る。このフィードバック光の偏光状態は第１の偏光状態で、第２ウィンドウ２３に入射し、透過することによって、第２ウィンドウ２３を透過して、第２の偏光状態に変換される。そして、このレーザ光は増幅領域を通過増幅し、第１ウィンドウ２２を透過することにより再び第１の偏光状態に変換される。そして、部分反射ミラー２４によって、一部のレーザ光を反射して、再び第１の偏光状態のレーザ光で第１ウィンドウに入射する。このようにして、シード光を増幅発振させることによって、発振段レーザから出力されたレーザ光のスペクトルと偏光状態を維持した状態で、高出力化が可能となる。
【００９３】
さらに、部分反射ミラー２５から出力されたレーザ光はモニタモジュール４０に入射する。モニタモジュール４０内部には出力レーザ光をサンプルするための第２ビームスプリッタ４１が配置されている。このサンプル光は出力レーザ光のパルスエネルギーとスペクトルを検出するためのパワー及びスペクトル検出器４２に入力される。モニタモジュール４０を通過したレーザ光は、レーザパルスの時間幅を長くするための光学パルスストレッチャ５０に入射する。
【００９４】
光学パルスストレッチャ５０は、レーザビームの一部を光学遅延回路に入力するための第３ビームスプリッタ５１と光学遅延回路を構成する４枚の高反射ミラー５２からなっている。レーザ光は第３ビームスプリッタ５１により一部の光は、そのまま通過し図示しない露光装置に入力される。一方、第３ビームスプリッタ５１により反射された光は４枚の高反射ミラー５２から構成している光遅延回路により、遅れたレーザパルス光が再び第３ビームスプリッタ５１に到達し、一部の反射光は露光装置に入力される。一方、一部の透過光は再び光学遅延回路に入射する。これを繰り返すことによって、露光装置にパルス幅が伸張させたレーザパルスを露光装置に供給できる。
【００９５】
ところで、レーザの出力高いビームが通過する第２ビームスプリッタ及び第３ビームスプリッタは熱応力による複屈折が発生すると予測され、直線偏光度を悪化させる可能性がある。そこで、（１１１）面で研磨されたフッ化カルシウム結晶をビームスプリッタとして採用し、図１１のグラフに示したように、＜１１１＞軸を中心に回転角度θ＝０°，６０°１２０°、１８０°（＝−１８０°）、−６０°、−１２０°付近に配置することによって、直線偏光度の悪化を抑制することができる。また、第１ビームスプリッタ３１も同様な結晶と配置にすることによって、発振段レーザの出力光の直線偏光度をほとんど悪化させずにシード光として増幅段レーザ２０に注入することができる。
【００９６】
したがって、フッ化カルシウム 結晶の表面を（１１１）面で研磨し、かつ、＜１１１＞軸でフッ化カルシウム 結晶を回転させることにより、直線偏光度の高いレーザの出力光を得ることができる。
【００９７】
つまり、レーザチャンバ２１のウィンドウ２２と２３として、表面が（１１１）面のフッ化カルシウム結晶を使用する場合に、上記２枚のウィンドウ２２と２３を透過する前と透過後のレーザの偏光状態が変化しないように、＜１１１＞軸を中心に回転配置させる。その結果、高出力においても直線偏光度の高いレーザ出力光を得ることができる。
【００９８】
そして、チャンバ１１、２１に取り付けるウィンドウ１２、１３、２２、２３を本発明による紫外線ガスレーザ用光学素子で構成することが望ましい。
【００９９】
また、増幅段レーザ２０の部分反射ミラー２４、２５を取り外したＭＯＰＡ（Master Oscillator Power Amplifier ）システムや、リング増幅タイプに本発明を適用しても同様の効果がある。
【０１００】
図２１にリング増幅タイプに本発明を適用した場合の実施例を示す。発振段レーザから出力されたシード光はリング共振器の出力結合ミラーである４５度の角度で部分反射ミラー１１３からリング共振器中に第１の偏光状態のシード光が注入される。ここで、チャンバ２１の第１ウィンドウ２２及び第２ウィンドウ２３は略同じ方向にブリュースタ角度に傾けて設置されている。シードレーザ光は、これら第１ウィンドウ２１及び第２ウィンドウ２２のＰ偏光の方向に直線偏光となるようにシード光は入射する。そして高反射ミラー１１０により、４５度よりも多少小さな角度で入反射され第１の偏光状態で第２ウィンドウ２３を透過し、第２の偏光状態に変換される。そして、放電領域を通過することにより、増幅され、第１ウィンドウ２２を透過して、第１の偏光状態に戻る。
【０１０１】
そして、高反射ミラー１１２により、高反射ミラー１１０と同じ角度で入反射して、高反射ミラー１１１により４５度で第１の偏光状態で反射されて、第１ウィンドウ２２に入射する。そして、第１ウィンドウ２２を透過することにより、第２’の偏光状態に変換される。そして、レーザの放電領域を通過して増幅される。そして、この増幅光は第２ウィンドウ２３を透過することによって、再び第１の偏光状態に戻る。そして、入射角度４５度で部分反射ミラーにより一部は出力レーザ光として出力する。一方、反射光は、リング共振器のフィードバック光として戻る。ここで、第２の偏光状態と第２’の偏光状態はほとんど同じであるが、ウィンドウに対する入射角度が多少ことなるため厳密には異なる。しかし、第１及び第１のウィンドウによるキャンセル効果は同じであり、シード光の偏光状態とほとんど同じ偏光状態でリング共振器の部分反射ミラー１１３を透過して高パルスエネルギーのレーザ光が出力される。
【０１０２】
この実施例では、第１及び第２ウィンドウの設置角度をブリュースタ角度で設置した例を示したが、この実施例に限定されることなく、入射角度は４５度から６２度の範囲であれば大きな問題は発生しない。
【０１０３】
ところで、（１１１）面で研磨されたフッ化カルシウムのウィンドウの＜１１１＞軸中心での回転角度は、第１の偏光状態と第２及び２‘の偏光状態と略同じになるような回転角度θ＝０°、６０°、１２０°、１８０°（＝−１８０°）、−６０°、−１２０°に設置してもよい。
【０１０４】
次に、参考例について説明する。前述の実施例では、フッ化カルシウム 結晶をチャンバウィンドウ１に用いた実施例に関して説明したが、フッ化カルシウム 結晶だけでなく、例えば、エキシマレーザの波長域で使用可能なＭｇＦ2 結晶を第１チャンバウィンドウ２及び第２チャンバウィンドウ３として使用する場合に、同様な原理で実施することができる。
【０１０５】
図２２及び図２３は、参考例としてのＭｇＦ2 （フッ化マグネシウム）のウィンドウを用いたチャンバ１を示す。図２２は、チャンバ１を示す図、図２３（ａ）は、第１ウィンドウ２をチャンバ内部の矢印Ａから見た図、図２３（ｂ）は、第２ウィンドウ３をチャンバ内部の矢印Ｂから見た図である。
【０１０６】
ＭｇＦ2 はフッ化カルシウム に比べて、原理的にバンドギャップが大きいのでＡｒＦレーザのレーザ耐性は高い。ＭｇＦ2 結晶は、正方晶系の結晶構造であり、ａ軸とｃ軸の結晶格子の長さが異なるので、複屈折性をもっている。この複屈折性によるレーザの直線偏光度の悪化を防ぐ解決手段で示した様に、チャンバウィンドウは第１チャンバウィンドウ２及び第２チャンバウィンドウ３の２枚で構成されている。この２枚のｃ軸（光学軸）の方位の角度を、図２３に示すように、チャンバ内部から見て（図２２の矢印Ａ，Ｂ参照）、同じ様に取り付ける。１パスで見た場合は、１パスの光軸Ｌに対して、結晶方位の角度が（−θ、＋θ）となるように取り付けることにより、位相差の変化をキャンセルすることができる。
【０１０７】
角度を決定する時は、事前にＸ線回折分析を行い、ｃ軸の結晶方位を計測しておくと良い。ウィンドウのｃ軸方向の側面に印を付けておき、その印に従って、θ°回転させて取り付けるようにすると効率が良い。
【０１０８】
この実施例ではｃ軸がウィンドウの法線に対して垂直（９０度）なウィンドウの場合の例を示したが、ｃ軸の方向がウィンドウの法線に対して、例えば、ｃ軸とウィンドウの法線のなす角度を０＜τ＜９０度の範囲で製作し、両チャンバウィンドウを同一角度τで製作して、両チャンバウィンドウの設置角度θ°と− θ°でチャンバウィンドウを設置してもよい。
【０１０９】
レーザとしては、シングルチャンバでも効果があるし、MOPOタイプ（インジェクションロック）、MOPAタイプ（増幅段）や、リング増幅タイプにも効果がある。
【０１１０】
なお、本発明に係るガス放電チャンバは、MOPOのPO、MOPAのPA、シングルレーザのレーザチャンバとして適用される。
【０１１１】
以上の説明では、図２４及び図２５に示した様に、２枚のチャンバウィンドウを平行に傾けて取り付けた場合について説明した。この場合、チャンバ内部から見て、同方向へ同角度（例えば＋θ）結晶を＜１１１＞軸で回転させると、１パスで見た場合に、（−θ、＋θ）の関係になる。この配置とは異なり、図２６及び図２７に示すように、２枚のチャンバウィンドウの傾きの方向が逆である場合（ハの字型）もウィンドウの配置として考えられる。この場合も、チャンバ内部から見て、同方向へ同角度（例えば＋θ）結晶を＜１１１＞軸で回転させると、１パスで見た場合に、（−θ、＋θ）の関係にすることが可能である。
【０１１２】
以上、本発明のガス放電チャンバを実施例に基づいて説明したが、本発明はこれら実施例に限定されず種々の変形が可能である。
【産業上の利用可能性】
【０１１３】
すなわち、ガス放電チャンバに設置した前記第１ウィンドウ及び第２ウィンドウは、複屈折性を有した結晶であって、前記第１のウィンドウに入射するレーザ光の第１の偏光状態から前記第１のウィンドウを透過して第２の偏光状態で前記励起されたレーザガス中を通過し、前記第２の偏光状態のレーザ光が前記第２のウィンドウを透過して、前記第１の偏光状態に略戻るように前記第１のウィンドウ及び第２のウィンドウの結晶をレーザ光軸に対して配置する。これにより、ガス放電チャンバ内をレーザ光が透過または往復しても直線偏光度の低下を抑制できる。
【符号の説明】
【０１１４】
１    チャンバ
２    第１のウィンドウ  （第１ウィンドウ）
３    第２のウィンドウ  （第２ウィンドウ）
Ｌ    レーザ光軸
【図１】
0005630773.tif 000002
【図２】
0005630773.tif 000003
【図３】
0005630773.tif 000004
【図４】
0005630773.tif 000005
【図５】
0005630773.tif 000006
【図６】
0005630773.tif 000007
【図７】
0005630773.tif 000008
【図８】
0005630773.tif 000009
【図９】
0005630773.tif 000010
【図１０】
0005630773.tif 000011
【図１１】
0005630773.tif 000012
【図１２】
0005630773.tif 000013
【図１３】
0005630773.tif 000014
【図１４】
0005630773.tif 000015
【図１５】
0005630773.tif 000016
【図１６】
0005630773.tif 000017
【図１７】
0005630773.tif 000018
【図１８】
0005630773.tif 000019
【図１９】
0005630773.tif 000020
【図２０】
0005630773.tif 000021
【図２１】
0005630773.tif 000022
【図２２】
0005630773.tif 000023
【図２３】
0005630773.tif 000024
【図２４】
0005630773.tif 000025
【図２５】
0005630773.tif 000026
【図２６】
0005630773.tif 000027
【図２７】
0005630773.tif 000028
【図２８】
0005630773.tif 000029